(57)【要約】【課題】専用のＨＥＭＳ端末を介さずに計測装置の回路情報を必要時に変更できる設定装置を提供すること。【解決手段】分電盤２の各回路の電力演算を行う計測装置２２と通信を行う通信部と、計測装置に接続されている全ての分岐回路３の回路情報を表示可能な表示部１４と、分岐回路の回路情報の設定を行うことが可能な設定部を備え、設定部は、分岐回路ごとに対応して設けられている構成とする。【選択図】図１
2018023184.tif 000002
【特許請求の範囲】
【請求項１】
分電盤の各回路の電力演算を行う計測装置と通信を行う通信部と、計測装置に接続されている全ての分岐回路の回路情報を表示可能な表示部と、分岐回路の回路情報の設定を行うことが可能設定部とを備えた設定装置であって、
設定部は、分岐回路ごとに対応して設けられていることを特徴とする設定装置。
【請求項２】
計測装置に接続される全ての分岐回路の回路情報を取得する回路情報取得手段を備え、
前記表示部は、前記回路情報取得手段から取得した回路情報を表示することが可能な請求項１に記載の設定装置。
【請求項３】
前記設定装置には、計測装置との送受信の状態を通知する通知部を備えた請求項１乃至２の何れかに記載の設定装置。
【請求項４】
請求項１乃至３の何れかの設定装置を接続可能な計測装置が搭載された分電盤。
【発明の詳細な説明】
【技術分野】
【０００１】
本発明は、分電盤の計測装置の設定を行う設定装置に関するものである。
【背景技術】
【０００２】
従来から、分電盤に搭載された計測装置によって、分電盤に備えられた各回路の電力演算を行うことが知られている。この計測装置の利用範囲を広げるため、計測装置に接続されたＨＥＭＳ（家庭用エネルギ監視システム）端末を利用して、計測装置に対して特定の情報を入力することが考えられている（特許文献１参照）。
【先行技術文献】
【特許文献】
【０００３】
【特許文献１】特開２０１６−３９７１４号公報
【０００４】
ところで、施工現場のように通信ができないような環境や、ＨＥＭＳ端末が設置されていない場合では、ＨＥＭＳ端末から計測装置の設定を変更することができなかった。
【発明の概要】
【発明が解決しようとする課題】
【０００５】
本件の発明者は、この点について鋭意検討することにより、解決を試みた。本発明の課題は、専用のＨＥＭＳ端末を介さずに計測装置の回路情報を必要時に変更できる設定装置を提供することである。
【課題を解決するための手段】
【０００６】
上記課題を解決するため、次のような手段を採用する。第一の手段は、分電盤の各回路の電力演算を行う計測装置と通信を行う通信部と、計測装置に接続されている全ての分岐回路の回路情報を表示可能な表示部と、分岐回路の回路情報の設定を行うことが可能設定部とを備えた設定装置であって、設定部は、分岐回路ごとに対応して設けられていることを特徴とする設定装置である。
【０００７】
第一の手段において、計測装置に接続される全ての分岐回路の回路情報を取得する回路情報取得手段を備え、前記表示部に、前記回路情報取得手段から取得した回路情報を表示することが可能な構成とする第二の手段が好ましい。
【０００８】
第一乃至二の何れかの手段において、設定装置には、計測装置との送受信の状態を通知する通知部を備えた構成とする第三の手段が好ましい。
【０００９】
第一乃至第三の何れかの手段の設定装置を接続可能な計測装置が搭載された分電盤とする第四の手段が好ましい。
【発明の効果】
【００１０】
本発明では、ＨＥＭＳ端末が不要なため、施工現場内などでも計測装置の回路情報を設定することができる。また、分岐回路を全て表示させるので、どの回路を設定するのかの把握が容易に可能となる。
【図面の簡単な説明】
【００１１】
【図１】第一の実施の形態の設定装置を分電盤に接続した状態を表す図である。
【図２】設定装置のブロック図である。
【図３】電圧設定が可能な画面を表示した表示部の図である。
【図４】負荷名称設定が可能な画面を表示した表示部の図である。
【図５】電力量を表示した表示部の図である。
【図６】第二の実施の形態の設定装置を分電盤に接続した状態を表す図である。
【図７】第二の実施の形態の設定装置の初期状態を示した斜視図である。
【図８】第二の実施の形態の設定装置の操作後の状態を示した斜視図である。
【発明を実施するための形態】
【００１２】
以下に発明を実施するための形態を示す。分電盤２には、各回路の電力を演算するために利用される計測装置２２が搭載されている。本実施の形態の設定装置１０１は、この計測装置２２の設定を変更するために使用されるものである。この設定装置１０１は、計測装置２２と通信を行うために利用される通信部１２を備えているが、この通信部１２はＨＥＭＳ端末９１を介さずに通信を行うことができるように構成されている。本実施の形態の設定装置１０１は、計測装置２２に接続される全ての分岐回路３の回路情報を一遍に表示可能な表示部１４を備えている。また、設定装置１０１には、各分岐回路３の個々に対応した複数の設定部１５を備えている。この設定部１５を操作することにより、計測装置２２における分岐回路３の回路情報の設定を行うことが可能となっている。このような構成であるため、計測装置２２の回路情報の設定にＨＥＭＳ端末９１が不要となり、施工現場内などでも回路情報を設定することが可能となる。また、分岐回路３の全てがまとめて表示されるため、設定する回路を把握することが容易となる。また、表示部１４は分岐回路３の回路情報を分岐回路３のレイアウトに対応して表示するものとしても良い。なお、本実施の形態の分電盤２には、太陽光用回路２８と蓄電池用回路２９も取り付けられている。
【００１３】
分電盤２内に設置されている計測装置２２は、分電盤２に搭載された分岐回路３ごとの電流センサの測定情報を計測する。この計測装置２２には、計測した電流情報や、計測装置２２で設定された回路の電圧情報を用いて電力量を演算することが可能な演算部を備えている。計測装置２２は分岐回路３の情報の他、ガスや水道や太陽光に関する計測情報、主幹回路２７などの電流値、設定された回路情報などを用いて電力量の計測や演算を行い、演算した値をＨＥＭＳ端末９１に表示することが可能となっている。ところで、各分岐回路３の電圧については、母線バーに接続される端子の位置により値が変わるため、電圧値を分岐回路３ごとに設定する必要がある。本実施の形態の設定装置１０１の設定部１５を操作すれば、電圧値などの回路情報を変更することができる。なお、電流センサは分電盤２の内外いずれに設置するものであっても良い。
【００１４】
設定装置１０１は持ち運び可能に構成されている。この設定装置１０１は、通常時には、計測装置２２には接続されず、設定が必要な場合にのみ接続される。したがって、固定箇所でのみ使用されるものではなく、作業者が必要箇所に持ち運んで計測装置２２に接続し、分岐回路３に関する情報の設定作業が終了した後に計測装置２２との接続が解除される。設定装置１０１としては、コントローラのような装置を用いる場合や、ソフトウェアなどにより特別な設定がなされたパーソナルコンピュータを使用する場合などが考えられるが、いずれの形態であっても良い。本実施の形態の設定装置１０１は、回路情報として、電圧値のほか、接続相や接続負荷の名称を設定することが可能である。また、計測装置２２の接続方法としては、ＬＡＮケーブルなどを用いた有線接続や、無線接続とすることが可能である。いずれにせよ、計測装置２２を設定装置１０１から送られる情報によりコントロールできるものであればよい。
【００１５】
設定装置１０１は図２に示したブロック図から理解されるように、表示部１４と設定部１５を備えている。また、計測装置２２との情報の送受信に利用される通信部１２を備えており、情報の送受信を指示する指示部１６を備えている。また、計測装置２２に接続される全ての分岐回路３の回路情報を取得するために利用される回路情報取得手段１７を備えている。更には、計測装置２２との送受信の状態を通知する通知部１８を備えている。
【００１６】
次に、第一の実施の形態について説明する。第一の実施の形態では、キーボードを備えるパーソナルコンピュータのモニタを表示部１４として使用している。なお、タッチパネル仕様のタブレットなどを用いた場合でも、モニタが表示部１４となる。キーボードやマウス、タッチパネルなどは、設定を入力するために使用される設定入力部として利用され、設定部１５を操作する。
【００１７】
本実施の形態では、計測装置２２に設定装置１０１を接続後、指示部１６を操作することにより、計測装置２２の情報を設定装置１０１により呼び出し、回路情報取得手段１７を用いることにより全ての分岐回路３及び、全ての分岐回路３の電圧や接続負荷の名称の回路情報が一覧できるように表示部１４に出力することが可能である。本実施の形態の設定装置１０１は、このように表示部１４に出力することを指示する指示部１６を備えている。本実施の形態では、画面内の「確認」ボタンが指示部１６となり操作することにより、計測装置２２の回路情報を、設定装置１０１に出力させることが可能となる。したがって、既に計測装置２２に設定されている分岐回路３の回路情報を設定装置１０１で確認することが可能となる。また表示部１４には、計測装置２２に対して分岐回路３の回路情報の送受信の指示を行う指示部１６が備えられているため、計測装置２２から設定装置１０１に回路情報を受信することや、設定装置１０１から計測装置２２に対して回路情報を設定する情報を送信することを所望のタイミングで行うことが可能となる。
【００１８】
本実施の形態の表示部１４には、設定を行う分岐回路３を全て表示している。また、この表示部１４には、回路情報を変更するために利用される設定部１５が表示されている。表示部１４に表示されたすべての分岐回路３の中から、設定変更を行う分岐回路３を選択して、キーボード等の設定入力部により設定部１５を操作すれば、所望の分岐回路３の設定を変更することが可能となる。本実施の形態の表示部１４では全ての分岐回路３における電圧などの回路情報を表示できるため、設定の確認が容易となる。
【００１９】
次に、本実施の形態の計測装置２２の使用方法について説明する。まず、設定装置１０１から計測装置２２に対してデータを送ることができる環境を設定する。本実施の形態の場合は設定装置１０１と計測装置２２を有線接続するためにＬＡＮケーブルを用いている。設定装置１０１の表示部１４である画面には、図３に示すような表示がなされる。図３は分岐回路３における電圧を設定するために利用される表示である。表示部１４には分岐回路３の各々の電圧の設定値を変更可能な設定部１５が表示されており、この設定部１５を利用して所望の分岐回路３の電圧を個別に定める。なお、画面内の「確認」のボタンを操作すると、計測装置２２の回路情報が設定装置１０１に出力されるため、すでに計測装置２２に回路情報が存在する場合は、その情報を基に、設定値を変更すればよい。この「確認」のボタンは指示部１６に相当する。
【００２０】
本実施の形態の電圧の設定としては、図３に示すように「１００Ｖ」、「２００Ｖ」、「設定なし」が選択可能となっている。「設定なし」は、その番号に対応する位置に電圧設定が不要な場合に用いられる。例えば、分岐２個分の幅を必要とする幅広のブレーカを接続した場合は、二つの番号のうちの一つに対して電圧設定をすればよいため、もう一方においては電圧設定を行う必要性が無い。また、感震器や避雷器など、電圧の設定が不要な機器が番号に対応する位置に配置されている場合も電圧設定を行う必要性が無い。このような場合に「設定なし」が選択される。
【００２１】
本実施の形態の設定装置１０１には、計測装置２２と設定装置１０１との間の通信状態を通知する通知部１８を備えている。この通知部１８は、画面に表示された「状態レベル」が相当する。例えば、「状態レベル」と表示されている部位が点灯している際は通信可能な状態を表し、点滅時は通信中を表し、消灯時は通信不能の状態を表す。当然ながら、このようなパターンは一例であり、通知部１８により各々の通信状態がわかれば、通知部１８としての機能が発揮される。本実施の形態では、計測装置２２との送受信の状態を通知する通知部１８を備えているため、設定装置１０１と計測装置２２が、通信可能な状態か通信中か、通信不可能な状態かを表示部１４からの情報により把握することが可能となる。
【００２２】
各分岐回路３の電圧を定めた後、画面内に表示された「電圧設定」のボタンを操作すると、計測装置２２に対してデータが送信される。これにより、設定変更を行った全ての情報が一括で変更可能となる。なお、この「電圧設定」のボタンは指示部１６に相当する。計測装置２２に変更内容を送信した後、変更後の計測装置２２の設定内容を設定装置１０１に表示するため、計測装置２２から設定装置１０１に対してデータが送信される。設定装置１０１は、このデータを受けて各分岐回路３の情報を表示部１４に表示する。
【００２３】
本実施の形態においては、各々の分岐回路３の電圧を全て一律に定めるためのボタンを、表示部１４を構成する画面内に表示している。「ＡＬＬ  １００Ｖ」や「ＡＬＬ  ２００Ｖ」と表示された部位の何れかを操作すると、表示部１４上の電圧設定値が１００Ｖ若しくは２００Ｖに定められる。
【００２４】
計測装置２２に設定される回路情報は、電圧値だけではない。例えば、負荷名称を設定することもある。表示部１４に表示されたタブのうち「分岐回路設定（負荷名称）」を選択すると、図４に示すような画面が表示される。この画面では、分岐回路３に接続される負荷の名称を設定することが可能となっている。この画面には各々の分岐回路３に接続される負荷の名称を変更可能な設定部１５が表示されており、この設定部１５を利用して負荷の名称を個別に定める。計測装置２２とのデータのやり取りは電圧を設定する際と同様なため、詳細な説明は省略する。
【００２５】
表示部１４に表示されたタブのうち「電力量計測値」を選択すると、図５に示すような画面が表示される。この画面では、上記した負荷名称を設定した結果が反映されている。この画面に表示される電力量は、図３に示された画面内で設定された電圧値が反映されている。設定装置１０１の表示部１４で電力量の表示をできるようにすることにより、設定装置１０１をＨＥＭＳ端末９１の代わりに利用することができる。また、断線や負荷への給電の確認テストにおいて設定装置１０１を利用することも可能となる。
【００２６】
次に第二の実施の形態について説明する。第二の実施の形態ではコントローラのようなユニットを設定装置２０１としている。この設定装置２０１は、一側面が表示部１４となっており、この表示部１４に全ての分岐回路３が表示されている。表示部１４は分岐ユニットのＬ１側の分岐回路３であるのか、Ｌ２側の分分岐回路３であるのかが視認できるように、分岐ユニット毎のまとまりで分けるように構成している。本実施の形態においては、表示部１４の上側に分岐ユニットのＬ１側の分岐回路３が表示されており、下側に分岐ユニットのＬ２側の分岐回路３が表示されている。
【００２７】
電圧を設定可能な設定部１５には、手動操作可能なスイッチが備えられており、このスイッチを操作することにより「１００Ｖ」、「２００Ｖ」、「設定なし」の何れかを選択することが可能となる。本実施の形態ではスイッチが中央に位置すれば「１００Ｖ」の設定であり、スイッチが上端側に位置すれば「２００Ｖ」、スイッチが下端側に位置すれば「設定なし」の選択となる。したがって、図７に示した状態は全ての電圧が「１００Ｖ」に定めている状態である。図８に示した状態では左側から２列分に表される４つの分岐回路３が「２００Ｖ」に定められ、左側から３〜８列分に表される１２個の分岐回路３が「１００Ｖ」に定められ、それ以外が「設定なし」に定められている。
【００２８】
本実施の形態の設定装置２０１には、第一の実施の形態と同様に通知部１８や「確認ボタン」が備えられており、この「確認ボタン」が指示部１６として機能することも第一の実施の形態と同様である。また、第一の実施の形態における「電圧設定」ボタンと同様な機能を有する「設定ボタン」も備えられている。つまり、本実施形態においては、「設定ボタン」は指示部１６に相当する。なお、「確認ボタン」を操作した場合、スイッチの上方若しくは下方に隣接して配置されている表示灯４２が点灯、点滅、消灯の何れかの状態となるが、本実施の形態においては、この状態の区別により、計測装置２２で既に設定されている電圧が「１００Ｖ」、「２００Ｖ」、「設定なし」のいずれであるのかを示す。本実施の形態では、表示灯４２を構成するＬＥＤが点滅すると「２００Ｖ」、点灯すると「１００Ｖ」、消灯で「設定なし」を示すように構成されている。
【００２９】
本実施の形態では、一つの分岐回路３に対して上下方向に並んだ一つの表示灯４２と一つの設定部１５が組となって関連付けられている。図８の右端に示した表示灯４２や設定部１５は対応する分岐回路３が存在しないため、設定部１５は「設定なし」としており、また、「確認ボタン」を操作した際に表示灯４２は消灯状態となる。
【００３０】
以上、二つの実施の形態を中心に説明してきたが、本発明は上記実施の形態に限定されることはなく、各種の態様とすることが可能である。例えば、回路情報の設定として分岐回路の電圧値を変更することを例にして説明したが、ガスや水道のセンサの計測情報を変更するものであっても良い。ガスや水道の使用の場合は、例えば１００ＣＣの使用量を１パルスとして記録し、そのパルス数により全体の使用量などを判定することが可能であるが、１２０ＣＣや１５０ＣＣの使用量を１パルスにしたい場合、その設定を設定装置で行うものとすることが可能である。このようにすれば、電流のみならず、パルスからガス使用量や水道使用量を計測装置で演算・設定することが可能となる。
【符号の説明】
【００３１】
２  分電盤
３  分岐回路
１２  通信部
１４  表示部
１５  設定部
１６  指示部
１７  回路情報取得手段
１８  通知部
２２  計測装置
【図１】
2018023184.tif 000003
【図２】
2018023184.tif 000004
【図３】
2018023184.tif 000005
【図４】
2018023184.tif 000006
【図５】
2018023184.tif 000007
【図６】
2018023184.tif 000008
【図７】
2018023184.tif 000009
【図８】
2018023184.tif 000010